(57)【要約】【課題】構成の複雑化を伴うことなく、リテーナの係止が不用意に外れるのを防止することが可能なコネクタを提供する。【解決手段】ハウジング１０の両側面には、それぞれ、嵌合相手となる相手ハウジング９０に対して傾いた姿勢で嵌合されるのを規制するこじり防止部１８が設けられる。こじり防止部１８には、リテーナ４０が仮係止位置と本係止位置のいずれの位置にあるときでも、リテーナ４０の両側板４２の端部を、リテーナ４０の両側板４２の外側への拡開方向と対向する側から覆う保護壁２３が設けられている。【選択図】図７
2014203639.tif 000002
【特許請求の範囲】
【請求項１】
端子金具を挿入可能なキャビティを有するとともに、前記キャビティに連通して、端面及びその端面に交差する一対の側面の三面に跨って開口するリテーナ挿入部を有し、且つ、前記両側面にそれぞれリテーナ係止部を有するハウジングと、
前記ハウジングの前記リテーナ挿入部内に挿入され、前記端子金具の前記キャビティ内への挿入を許容する仮係止位置と、その仮係止位置より前記リテーナ挿入部内に深く挿入されて前記端子金具を抜け止めする本係止位置とに、移動可能とされるものであって、前記ハウジングの前記端面における前記リテーナ挿入部の開口を覆うことが可能な本体部と、その本体部の両側端部に連なって、前記ハウジングの前記両側面における前記リテーナ挿入部の開口を覆うことが可能な一対の側板とを有し、且つ、前記両側板の端部にそれぞれ被係止部を有しており、前記仮係止位置から前記本係止位置に向かう過程で、前記被係止部が前記リテーナ係止部に干渉することで、前記両側板が外側に弾性的に拡開し、前記本係止位置に至ると、前記両側板が復帰方向に変位して、前記被係止部が前記係止部に係止可能に配置されて、前記ハウジングに保持されるリテーナとを備えたコネクタであって、
前記ハウジングの前記両側面には、それぞれ、前記ハウジングの嵌合相手となる相手ハウジングに対して傾いた姿勢で嵌合されるのを規制するこじり防止部が設けられ、
前記こじり防止部には、前記リテーナが前記仮係止位置と前記本係止位置のいずれの位置にあるときでも、前記両側板の端部を、前記両側板の外側への拡開方向と対向する側から覆う保護壁が設けられていることを特徴とするコネクタ。
【請求項２】
前記リテーナ係止部は、前記リテーナが前記仮係止位置にあるときに前記被係止部と係止可能な仮係止部と、前記リテーナが前記本係止位置にあるときに前記被係止部と係止可能な本係止部とからなり、少なくとも、前記本係止部が、前記ハウジングの前記両側面において前記保護壁との間に区画される空間部に臨む位置に配置されていることを特徴とする請求項１記載のコネクタ。
【請求項３】
前記こじり防止部には、前記本係止位置に至った前記リテーナの前記両側板の端部を目視可能な孔が設けられていることを特徴とする請求項１又は２記載のコネクタ。
【発明の詳細な説明】
【技術分野】
【０００１】
本発明は、コネクタに関する。
【背景技術】
【０００２】
特許文献１に開示のコネクタは、端子金具を挿入可能なキャビティを有するハウジングと、ハウジングに対して仮係止位置と本係止位置との間を移動可能に組み付けられるリテーナとを備えている。ハウジングには、下面と両側面とに跨って開口する収容空間が形成されている。ハウジングの両側面には、収容空間と近接して仮係止突起と本係止突起とが上下に並んで形成されている。
【０００３】
リテーナは、本体部と本体部の両側縁から突出する一対の係止板とを有している。両係止板の上端には、係止爪が内側に突出して形成されている。リテーナがハウジングに組み付けられると、本体部がハウジングの下面における収容空間の開口を覆うように配置され、両係止板がハウジングの両側面における収容空間の開口を覆うように配置される。そして、両係止板の係止爪が仮係止突起に係止可能に配置されることで、リテーナが仮係止位置に留め置かれる。仮係止位置では、リテーナが収容空間に浅く挿入されて、本体部がハウジングの下面より下方に位置し、端子金具がハウジングのキャビティ内に挿入可能とされている。リテーナが仮係止位置から本係止位置に向かう過程では、係止爪が本係止突起に乗り上げられて、係止板が外側に弾性的に拡開し、リテーナが本係止位置に至ると、係止爪が本係止位置に係止可能に配置されて、リテーナが本係止位置に留め置かれる。本係止位置では、リテーナが収容空間に深く挿入されて、本体部の下面がハウジングの下面とほぼ同じ高さに連なり、キャビティ内に挿入された端子金具を抜け止め係止可能とされている。
【先行技術文献】
【特許文献】
【０００４】
【特許文献１】特開２００５−３４７０８２号公報
【発明の概要】
【発明が解決しようとする課題】
【０００５】
ところで、上記従来のコネクタの場合、リテーナが本係止位置にあるときに、係止板の上端が露出しているため、外部からの異物が係止板の上端に干渉する可能性があり、係止板が異物との干渉によって外側に拡開して、係止爪が本係止突起から外れ、本係止位置における係止状態が不用意に解除されるおそれがあった。これに鑑み、仮に、係止爪の上端を覆うような庇構造をハウジングの両側面に新設すると、その分、ハウジングの構成が複雑化するため、好ましくないという事情があった。
【０００６】
本発明は上記のような事情に基づいて完成されたものであって、構成の複雑化を伴うことなく、リテーナの係止が不用意に外れるのを防止することが可能なコネクタを提供することを目的とする。
【課題を解決するための手段】
【０００７】
本発明は、端子金具を挿入可能なキャビティを有するとともに、前記キャビティに連通して、端面及びその端面に交差する一対の側面の三面に跨って開口するリテーナ挿入部を有し、且つ、前記両側面にそれぞれリテーナ係止部を有するハウジングと、前記ハウジングの前記リテーナ挿入部内に挿入され、前記端子金具の前記キャビティ内への挿入を許容する仮係止位置と、その仮係止位置より前記リテーナ挿入部内に深く挿入されて前記端子金具を抜け止めする本係止位置とに、移動可能とされるものであって、前記ハウジングの前記端面における前記リテーナ挿入部の開口を覆うことが可能な本体部と、その本体部の両側端部に連なって、前記ハウジングの前記両側面における前記リテーナ挿入部の開口を覆うことが可能な一対の側板とを有し、且つ、前記両側板の端部にそれぞれ被係止部を有しており、前記仮係止位置から前記本係止位置に向かう過程で、前記被係止部が前記リテーナ係止部に干渉することで、前記両側板が外側に弾性的に拡開し、前記本係止位置に至ると、前記両側板が復帰方向に変位して、前記被係止部が前記係止部に係止可能に配置されて、前記ハウジングに保持されるリテーナとを備えたコネクタであって、前記ハウジングの前記両側面には、それぞれ、前記ハウジングの嵌合相手となる相手ハウジングに対して傾いた姿勢で嵌合されるのを規制するこじり防止部が設けられ、前記こじり防止部には、前記リテーナが前記仮係止位置と前記本係止位置のいずれの位置にあるときでも、前記両側板の端部を、前記両側板の外側への拡開方向と対向する側から覆う保護壁が設けられているところに特徴を有する。
【発明の効果】
【０００８】
リテーナが仮係止位置と本係止位置のいずれの位置にあるときでも、両側板の端部が、こじり防止部の保護壁によって、両側板の外側への拡開方向と対向する側を覆われるため、両側板の端部に外部から異物が干渉するのが回避され、両側板が外側に拡開するのが確実に防止される。したがって、リテーナが仮係止位置と本係止位置のいずれの位置にあっても、被係止部がリテーナ係止部から外れるのが防止され、リテーナの係止状態が確実に維持される。この場合に、こじり防止部は、ハウジングが相手ハウジングとのこじり嵌合を防止するための機能を兼備している。したがって、保護壁として既存の構成を利用することができ、コネクタ全体の構成が複雑になることはない。
【図面の簡単な説明】
【０００９】
【図１】本発明の実施例１のコネクタにおいて、ハウジングに対してリテーナが仮係止位置に保持された状態を示す側面図である。
【図２】ハウジングに対してリテーナが本係止位置に保持された状態を示す側面図である。
【図３】ハウジングに対してリテーナが仮係止位置に保持された状態を示す側面視方向の断面図である。
【図４】ハウジングに対してリテーナが本係止位置に保持された状態を示す側面視方向の断面図である。
【図５】ハウジングに対してリテーナが仮係止位置に保持された状態を二点鎖線で示す正面視方向の断面図である。
【図６】ハウジングに対してリテーナが仮係止位置から本係止位置に移動する途中の状態を二点鎖線で示す正面視方向の断面図である。
【図７】ハウジングに対してリテーナが本係止位置に保持された状態を二点鎖線で示す正面視方向の断面図である。
【図８】ハウジングの正面図である。
【図９】ハウジングの背面図である。
【図１０】ハウジングの底面図である。
【図１１】ハウジングの側面図である。
【図１２】図１１のＡ−Ａ線断面図である。
【図１３】リテーナの背面図である。
【図１４】リテーナの正面図である。
【図１５】リテーナの側面図である。
【図１６】相手ハウジングの正面図である。
【発明を実施するための形態】
【００１０】
本発明の好ましい形態を以下に示す。
前記リテーナ係止部は、前記リテーナが前記仮係止位置にあるときに前記被係止部と係止可能な仮係止部と、前記リテーナが前記本係止位置にあるときに前記被係止部と係止可能な本係止部とからなり、少なくとも、前記本係止部が、前記ハウジングの前記両側面において前記保護壁との間に区画される空間部に臨む位置に配置されている。これにより、本係止部が保護壁によって外部から保護された状態になるため、例えば、リテーナが仮係止位置にある場合に、本係止部に外部から異物が干渉するのが回避される。その結果、本係止部が破損されるのが防止され、本係止位置におけるリテーナの保持信頼性を向上させることができる。なお、仮係止部は、リテーナが仮係止位置と本係止位置のいずれの位置にあっても、側板で外側を覆われた状態になる得るため、保護壁による保護の必要性が本係止部に比べて低い。
【００１１】
前記こじり防止部には、前記本係止位置に至った前記リテーナの前記両側板の端部を目視可能な孔が設けられている。したがって、孔を通して、両側板の端部の状態を目視で確認することにより、リテーナが本係止位置に適正に保持されているのか否かを知ることができ、リテーナ係止部に対して被係止部が半掛かり状態のまま放置される事態が回避される。
【００１２】
＜実施例１＞
本発明の実施例１を図１〜図１６によって説明する。実施例１のコネクタは、ハウジング１０と、ハウジング１０に対して仮係止位置と本係止位置との間を移動可能に組み付けられるリテーナ４０と、ハウジング１０に収容される端子金具６０とを備えている。ハウジング１０は、前方（図２の左側）から相手ハウジング９０に嵌合可能とされている。
【００１３】
相手ハウジング９０は合成樹脂製であって、図１６に示すように、幅方向（図示左右方向）に沿って扁平な略角筒状のフード部９１を有している。フード部９１の上壁内面の幅方向略中央部には、ロック部９２が下向きに突出して形成されている。また、フード部９１の両側壁内面の上端部には、一対の嵌合溝９３が形成されている。両嵌合溝９３は、断面アリ溝状をなし、前後方向に延びてフード部９１の前端に開口する形態とされている。実施例１の場合、両嵌合溝９３の内面上壁は、幅方向両側外方へ向けて上向きに傾斜するテーパ内面９４とされている。また、フード部９１内には、複数の雄タブ１００が突出して配置されている。
【００１４】
ハウジング１０は、合成樹脂製であって、図８及び図９に示すように、全体として角ブロック状の形態とされている。ハウジング１０の上面の幅方向略中央部（詳細には幅方向中央に対して図示左側にやや寄った位置）には、凹陥部１１が形成されている。凹陥部１１は、断面角凹状をなし、前後方向に延びてハウジング１０の前後両端に開口する形態とされている。そして、凹陥部１１内には、ハウジング１０の上面の前端から後方へ向けて延出する片持ち状のロックアーム１２が設けられている。ロックアーム１２は、ハウジング１０の上面の前端を支点として凹陥部１１内で撓み変形可能とされている。ロックアーム１２の上面には、ロック突起１３が設けられている。ハウジング１０が相手ハウジング９０に正規嵌合されると、ロックアーム１２の撓み動作を伴った後、ロック突起１３が相手ハウジング９０のロック部９２に弾性的に係止され、これによって両ハウジング１０、９０が保持されるようになっている。
【００１５】
ロックアーム１２の後端部には、ロックアーム１２の係止状態を解除する際に押圧される解除操作部１４が一段高く形成されている。また、ハウジング１０の上面の後端部には、解除操作部１４の上方を覆うアーチ部１５が架設されており、アーチ部１５の後端は、図８に示すように、ハウジング１０の外周に全周に亘って張り出すフランジ部１６に一体に連結されている。ロックアーム１２の後端部に電線２００等が引っ掛かって、ロックアーム１２が正規の撓み方向とは逆向きとなる上向きに持ち上げられると、解除操作部１４がアーチ部１５に当接して、ロックアーム１２のめくれ上がりが防止されるようになっている。また、図９に示すように、フランジ部１６には、ロックアーム１２の後方と対向する位置に、ロックアーム１２を後方から目視可能となす貫通孔１７が形成されている。
【００１６】
また、図８に示すように、ハウジング１０の両側面の上端部には、一対のこじり防止部１８が形成されている。こじり防止部１８は、図１２に示すように、前後方向に延出するリブ状の形態とされ、ハウジング１０の前端寄りの位置からハウジング１０の後端部にかけて配置されてフランジ部１６に一体に連結されている。そして、図１２に示すように、こじり防止部１８は、相手ハウジング９０の嵌合溝９３と対応する断面アリ状をなし、その外壁上面が幅方向両側外方へ向けて上向きに傾斜するテーパ外面１９とされている。両ハウジング１０、９０の嵌合過程では、こじり防止部１８がフード部９１に嵌合溝９３内に適合して挿入され、テーパ外面１９が嵌合溝９３のテーパ内面９４を摺動可能とされている。また、フランジ部１６には、ハウジング１０の両側面とテーパ外面１９とに連なる二つの縁部を含む四つの縁部で略台形に縁取りされた一対の透孔２１が形成されている。
【００１７】
図１０に示すように、両こじり防止部１８の前後方向途中には、上下方向に延びて下面に開口する空間部２２が形成されている。そして、図１２に示すように、空間部２２は、保護壁２３によって区画されている。保護壁２３は、空間部２２の側外方を覆うように、上下方向にほぼ沿って配置されている。また、保護壁２３の外面は、こじり防止部１８の他の部分の外面と面一で連続しており（図１１を参照）、図１２に示すように、保護壁２３の上面はテーパ外面１９として構成されている。
【００１８】
また、保護壁２３には、ハウジング１０の側面に連なる基端部分に、上下方向に貫通する孔２４が形成されている。保護壁２３の孔２４は、空間部２２を成形するための金型が下方へ引き抜かれるのに伴い、テーパ外面１９に開口する形態で成形されるものである。図１０に示すように、保護壁２３の孔２４は、前後方向に細長いスリット状に開口する形態とされている。
【００１９】
また、図３に示すように、ハウジング１０内には、複数のキャビティ２５が前後方向に貫通して形成されている。実施例１の場合、図９に示すように、各キャビティ２５は、ハウジング１０における凹陥部１１を挟んだ幅方向両側で上下二段に配置され、凹陥部１１の下方に上下一段に配置されている。つまり、上段の各キャビティ２５は、凹陥部１１と高さ方向で重なる位置に配置されている。そして、図３に示すように、各キャビティ２５の内壁下面の前部には、撓み可能なランス２６が突出して形成されている。各キャビティ２５内には、後方から端子金具６０が挿入され、正規挿入された端子金具６０は、ランス２６に弾性的に係止されてキャビティ２５内に抜け止めされるようになっている。
【００２０】
端子金具６０は、導電性の金属板を曲げ加工等して成形され、図３に示すように、全体として前後方向に細長い形態になっている。具体的には、端子金具６０は、筒状の箱部６１と、箱部６１の後方に連なるオープンバレル状のワイヤバレル６２と、ワイヤバレル６２の後方に連なるオープンバレル状のインシュレーションバレル６３とからなる。箱部６１内には、両ハウジング１０、９０の嵌合時に相手ハウジング９０の雄タブ１００が挿入され、箱部６１内に設けられた図示しない弾性接触片に雄タブ１００が弾性的に接触するようになっている。箱部６１の底壁には、端子金具６０がキャビティ２５内に正規挿入されたときに、ランス２６に係止されるランス受け部６４が形成されている。また、ワイヤバレル６２は、電線２００の端末部において被覆２１０の除去により露出する芯線２２０に圧着により接続され、インシュレーションバレル６３は、電線２００の端末部の被覆２１０に圧着により接続されている。
【００２１】
図１０及び図１１に示すように、ハウジング１０の前後方向略中央部には、このハウジング１０の下面及び両側面の三面に跨って開口するリテーナ挿入部２７が形成されている。リテーナ挿入部２７は、各キャビティ２５に連通する形態とされ、こじり防止部１８の保護壁２３の前後範囲に配置されている。なお、実施例１の場合、図１２に示すように、リテーナ挿入部２７の上端は、ハウジング１０の上面との間に所定の肉厚を残して配置され、凹陥部１１と対応する位置では下側に落ち込む形態になっている。
【００２２】
図１０に示すように、ハウジング１０の両側面のうち、リテーナ挿入部２７を挟んだ前後両側の部分は、さらに外側の前後両端部との間に、段差２８を介して一段落ちた凹所２９になっている。図１２に示すように、凹所２９の上端部は、保護壁２３の空間部２２と連通しており、凹所２９の上端を覆うハウジング１０の壁は、保護壁２３との間に孔２４を介して配置された庇壁３１とされている。庇壁３１は、後述するリテーナ４０の側板４２を上方から覆うように配置され、保護壁２３との間に孔２４を介して断面略Ｌ字形をなしている。
【００２３】
また、図１１に示すように、ハウジング１０の両側面の凹所２９のうち、リテーナ挿入部２７の後方の部分には、リテーナ係止部３２が形成されている。リテーナ係止部３２は、リテーナ挿入部２７の後縁上部から後方へ延びるリブ状の形態とされ、仮係止部３３と、仮係止部３３より上方に位置する本係止部３４とで構成されている。仮係止部３３と本係止部３４の各上面は、前後方向にほぼ沿ったフラット状の形態とされている。また、図１２に示すように、仮係止部３３は、保護壁２３より下方に配置され、本係止部３４は、保護壁２３の高さ範囲に配置されている。つまり、本係止部３４は、保護壁２３の空間部２２に臨む位置に配置され、図１１に示すように、側面視では本係止部３４の下端のごく一部を除いて保護壁２３に隠ぺいされた状態になる。なお、図３及び図８に示すように、ハウジング１０には、このハウジング１０の前面を覆うように前方からフロントホルダ３５が取り付けれている。このフロントホルダ３５の前壁部分には、ハウジング１０の各キャビティ２５と連通する位置に、雄タブ１００を挿入可能なタブ挿入孔３６が貫通して形成されている。
【００２４】
続いて、リテーナ４０について説明する。リテーナ４０は合成樹脂製であって、図１３及び図１４に示すように、幅方向に沿った本体部４１と、本体部４１の幅方向両端部（両側端部）に連なる一対の側板４２とを有している。リテーナ４０は、ハウジング１０のリテーナ挿入部２７内に下方から挿入され、その下面がハウジング１０の下面より下方に位置する仮係止位置（図３を参照）と、仮係止位置よりリテーナ挿入部２７内に深く挿入されて、その下面がハウジングの下面とほぼ同じ高さで略面一に連なる本係止位置（図４を参照）とに、移動可能とされている。このとき、リテーナ４０の本体部４１がリテーナ挿入部２７に進入してハウジング１０の下面におけるリテーナ挿入部２７の開口を覆って閉止し、リテーナ４０の両側板４２がハウジング１０の両側面の凹所２９に対面してハウジング１０の両側面におけるリテーナ挿入部２７の開口を覆って閉止するようになっている。また、リテーナ４０の移動過程では、ハウジング１０の凹所２９の前後両端を仕切る段差２８（図１０を参照）に、側板４２の前後両縁がアリ嵌合して摺動することにより、リテーナ４０の移動案内がなされるとともに、リテーナ４０の移動姿勢が正しく保たれるようになっている。
【００２５】
また、図５及び図１３に示すように、本体部４１の幅方向両端部には、ハウジング１０の幅方向両端部における下段の各キャビティ２５と連通する窓孔４３が開口して形成されている。そして、図１３に示すように、本体部４１の幅方向略中央部には、幅方向両端部における窓孔４３の下縁部分を直線状につなぐ連結部４４が形成されている。連結部４４の上面、窓孔４３の下縁部分の上面及び窓孔４３の上縁部分の上面には、ハウジング１０の各キャビティ２５と対応する位置に、抜け止め部４５が突設されている。各抜け止め部４５は、リテーナ４０が本係止位置に至ったときに、ハウジング１０の各キャビティ２５と対応する端子金具６０の挿入経路に進入して、各端子金具６０の箱部６１の後端に係止可能に配置されるようになっている。
【００２６】
両側板４２は、図１４及び図１５に示すように、前後方向にほぼ沿った平板状の形態とされ、本体部４１を挟んで前後両方向に張り出す部分を有し、このうち、後側に張り出す部分の内面に、リテーナ４０のリテーナ係止部３２に係止可能な一対の被係止部４６が形成されている。図１３に示すように、被係止部４６は、両側板４２の内面の上端部（リテーナ４０が仮係止位置から本係止位置に向かう際の移動方向の先端部）において前後方向に延びる凹溝４７によって爪状に画成されている。凹溝４７は、両側板４２の後縁に開口しており、両側板４２は、凹溝４７と対応する部分で薄肉とされ、撓み容易な形状になっている。また、被係止部４６の下面は、前後方向にほぼ沿ったフラット状の形態とされている。
【００２７】
次に、実施例１のコネクタの作用効果について説明する。
リテーナ４０の組み付けに際し、ハウジング１０のリテーナ挿入部２７に下方からリテーナ４０の本体部４１が挿入され、リテーナ４０が仮係止位置に組み付けられる。仮係止位置に至る過程では、両側板４２の被係止部４６が仮係止部３３に干渉して乗り上げられ、両側板４２が外側に弾性的に拡開する。このとき、両側板４２の上端部は、保護壁２３の空間部２２に進入して、空間部２２の内部で拡開変位し、保護壁２３の内面に干渉することはない。つまり、保護壁２３の空間部２２には、両側板４２の拡開変位を許容するだけのスペースが確保されている。
【００２８】
リテーナ４０が仮係止位置に至ると、両側板４２が復帰方向に弾性変位してほぼ自然状態に戻り、被係止部４６の下面が仮係止部３３の上面に対面して配置され、これによってリテーナ４０が抜け方向への移動を規制された状態でハウジング１０に保持される（図１及び図５を参照）。また、仮係止位置では、両側板４２の上端部の上方（リテーナ４０の仮係止位置から本係止位置への移動方向と対向する側）が、ハウジング１０の庇壁３１で覆われ、両側板４２の上端部の側外方（両側板４２の外側への拡開方向と対向する側）が、保護壁２３で覆われた状態になる。したがって、外部からの異物が両側板４２の上端部に干渉するのが確実に回避され、仮係止位置におけるリテーナ４０の保持状態が維持される。
【００２９】
続いて、ハウジング１０の各キャビティ２５内に、後方から電線２００に接続された端子金具６０が挿入される（図３を参照）。各キャビティ２５内に端子金具６０が正規挿入されると、端子金具６０のランス受け部６４にランス２６が弾性的に係止されて、端子金具６０がキャビティ２５内に抜け止めされる。次いで、リテーナ４０を本係止位置に押し込む。
【００３０】
リテーナ４０が本係止位置に向かう過程では、被係止部４６が本係止部３４に干渉して乗り上げられ、両側板４２が外側に弾性的に拡開する（図６を参照）。このとき、両側板４２の上端部は、空間部２２の内部で拡開変位して、保護壁２３の内面に干渉することはない。また、両側板４２が拡開変位した状態は、保護壁２３の孔２４を通して外部から目視により確認することができる。
【００３１】
その後、リテーナ４０が本係止位置に至ると、両側板４２が復帰方向に弾性変位してほぼ自然状態に戻り、被係止部４６の下面が本係止部３４の上面に対面して配置され、これによってリテーナ４０が仮係止位置への戻り移動を規制された状態でハウジング１０に保持される（図２及び図７を参照）。また、本係止位置においても、仮係止位置と同様、両側板４２の上端部の上方が庇壁３１で覆われ、両側板４２の上端部の側外方が保護壁２３で覆われた状態が維持される。したがって、外部からの異物が両側板４２の上端部に干渉するのが確実に回避され、本係止位置におけるリテーナ４０の保持状態が安定に保たれる。また、かかるリテーナ４０の保持状態は、保護壁２３の孔２４を通して外部から目視により確認することができる。この場合、仮に、被係止部４６が本係止部３４に正規の係止代で係止されていない半掛かり状態であることを確認したら、被係止部４６が本係止部３４に適正な係止代で係止されるように、リテーナ挿入部２７にリテーナ４０をより深く押し込むようにすればよい。
【００３２】
また、リテーナ４０が本係止位置に至ると、本体部４１の各抜け止め部４５が端子金具６０の挿入経路に進入して、端子金具６０の箱部６１の後端に各抜け止め部４５が係止可能に配置され、これによって端子金具６０が二重係止された状態でキャビティ２５内に確実に抜け止めされる（図４を参照）。
【００３３】
上記によってリテーナ４０が本係止位置に押し込まれた後、ハウジング１０は相手ハウジング９０のフード部９１内に嵌合される。この場合、仮に、ハウジング１０の嵌合姿勢が正規姿勢に対して斜めに傾いた姿勢をとっていると、ハウジング１０がフード部９１の内面に斜め方向から当接して、フード部９１が膨出変形することがある。このため、ハウジング１０が斜め姿勢のままフード部９１内に進入して、フード部９１内に突出する雄タブ１００の先端部にハウジング１０が干渉し、これによって雄タブ１００が折損又は破損されることが懸念される。しかるに実施例１の場合、ハウジング１０が斜め姿勢であると、こじり防止部１８がフード部９１の前端に当接して、ハウジング１０のそれ以上の嵌合動作が規制される。したがって、雄タブ１００が折損又は破損される事態が回避される。一方、ハウジング１０が正規の嵌合姿勢であれば、こじり防止部１８が嵌合溝９３に嵌合状態で挿入され、嵌合溝９３に沿って両ハウジング１０、９０の嵌合動作が案内されるようになっている。とくに、実施例１の場合、フード部９１が比較的薄肉であるため、こじり嵌合が発生すると、フード部９１が膨出変形し易く、斜め姿勢のハウジング１０がフード部９１内に進入する可能性が高いため、ハウジング１０にこじり防止部１８を設けてこじり嵌合を未然に防止するメリットは大きい。
【００３４】
以上説明したように、実施例１によれば、リテーナ４０が仮係止位置と本係止位置のいずれの位置にあるときでも、両側板４２の上端部が、こじり防止部１８の保護壁２３によってその側外方を覆われるため、両側板４２の端部に外部から異物が干渉するのが回避され、両側板４２が外側に拡開するのが確実に防止される。したがって、リテーナ４０が仮係止位置と本係止位置のいずれの位置にあっても、被係止部４６がリテーナ係止部３２から不用意に外れるのが防止され、リテーナ４０の係止状態が確実に維持される。この場合、こじり防止部１８が相手ハウジング９０に対するこじり嵌合を防止するための機能を兼備しているため、保護壁２３として既存の構造を利用することができ、コネクタ全体の構成が複雑になることはない。
【００３５】
また、本係止部３４がハウジング１０の両側面において保護壁２３との間に区画される空間部２２に臨む位置に配置されているため、リテーナ４０がハウジング１０に組み付けられていないとき、又はリテーナ４０が仮係止位置にあるときに、本係止部３４が保護壁２３によって外部から保護された状態となり、本係止部３４に外部から異物が干渉するのが回避される。その結果、本係止部３４が破損される事態が防止され、本係止位置におけるリテーナ４０の保持信頼性を向上させることができる。なお、仮係止部３３は、リテーナ４０が仮係止位置と本係止位置のいずれの位置にあっても、両側板４２で外側を覆われた状態になっているため、保護壁２３ではなく両側板４２によって保護される。
【００３６】
さらに、保護壁２３に設けられた孔２４を通して、本係止位置に至ったリテーナ４０の両側板４２の上端部を目視で確認することにより、リテーナ係止部３２に対して被係止部４６が半掛かり状態であることを早期に発見することができるため、被係止部４６が半掛かり状態のまま放置される事態が回避される。
【００３７】
＜他の実施例＞
本発明は上記記述及び図面によって説明した実施例に限定されるものではなく、例えば次のような態様も本発明の技術的範囲に含まれる。
（１）実施例１とは逆に、リテーナの被係止部に、仮係止部と本係止部とが設けられ、ハウジングのリテーナ係止部は、仮係止部と本係止部の双方に係止可能な形態であってもよい。
（２）リテーナは、仮係止位置から本係止位置へと、前後方向及び高さ方向に対して斜めに傾斜する方向に移動する構成であってもよい。
（３）仮係止部も保護壁の空間部内に臨む位置に配置されるものであってもよい。
（４）保護壁は、孔を有さず、側板の上端を上方及び側外方から覆うように断面略Ｌ字形の形態をなすものであってもよい。
【符号の説明】
【００３８】
１０…ハウジング
１８…こじり防止部
２２…空間部
２３…保護壁
２４…孔
２５…キャビティ
２７…リテーナ挿入部
３１…庇壁
３２…リテーナ係止部
３３…仮係止部
３４…本係止部
４０…リテーナ
４１…本体部
４２…側板
４６…被係止部
６０…端子金具
９０…相手ハウジング
【図１】
2014203639.tif 000003
【図２】
2014203639.tif 000004
【図３】
2014203639.tif 000005
【図４】
2014203639.tif 000006
【図５】
2014203639.tif 000007
【図６】
2014203639.tif 000008
【図７】
2014203639.tif 000009
【図８】
2014203639.tif 000010
【図９】
2014203639.tif 000011
【図１０】
2014203639.tif 000012
【図１１】
2014203639.tif 000013
【図１２】
2014203639.tif 000014
【図１３】
2014203639.tif 000015
【図１４】
2014203639.tif 000016
【図１５】
2014203639.tif 000017
【図１６】
2014203639.tif 000018